【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
導光板と、
前記導光板の側面に配置された光源と、
前記導光板の表面または内部に配置されると共に前記導光板と接着された光変調素子と
を備え、
前記光変調素子は、
離間して互いに対向配置された第１電極および第２電極と、
前記第１電極と前記第２電極との間隙に設けられた光変調層と
を有し、
前記光変調層は、光学異方性を有すると共に電場に対する応答速度が互いに異なる第１領域および第２領域を含み、
前記第１領域は、前記第１電極と前記第２電極との間に電圧が印加されていない時に当該第１領域の光軸が前記導光板の側面のうち前記光源の光が入射する光入射面と平行となると共に前記光変調素子の表面と第１角度で交差する構成となっており、かつ、前記第１電極と前記第２電極との間に電圧が印加されている時に当該第１領域の光軸が前記光入射面と平行となると共に前記光変調素子の表面と前記第１角度よりも大きな第２角度で交差する構成となっており、
前記第２領域は、前記一対の電極の間への電圧印加の有無に拘らず、当該第２領域の光軸が前記光入射面と平行となると共に前記光変調素子の表面と前記第１角度で交差する構成となっている
照明装置。
【請求項２】
前記第１領域は、液晶材料を主に含んで構成され、
前記第２領域は、高分子材料を主に含んで構成されている
請求項１に記載の照明装置。
【請求項３】
前記光変調素子は、前記電極と前記光変調層との間に水平配向膜を有する
請求項２に記載の照明装置。
【請求項４】
前記水平配向膜は、当該水平配向膜の表面に液晶分子が接すると共にその液晶分子に外部から電界が印加されていないときに、その液晶分子に、その液晶分子の光学軸が前記光変調素子の表面と前記第１角度で交差すると共に前記光入射面と平行となるプレチルト角を付与する性質を有している
請求項３に記載の照明装置。
【請求項５】
前記光変調層は、当該光変調層の厚さ方向の散乱の方が前記光入射面と平行な方向の散乱よりも大きい異方性散乱特性を有する
請求項１ないし請求項４のいずれか一項に記載の照明装置。
【請求項６】
前記第２領域は、前記光入射面と平行となると共に前記光変調素子の表面と前記第１角度で交差する方向に長軸を有する筋状構造となっている
請求項５に記載の照明装置。
【請求項７】
前記第２領域は、電場に対して応答しない筋状構造もしくは多孔質構造となっているか、または前記第１領域の応答速度よりも遅い応答速度を有する棒状構造となっている
請求項２に記載の照明装置。
【請求項８】
前記第２領域は、前記水平配向膜の作用により配向した重合性材料を熱および光の少なくとも一方によって重合させることにより形成されたものである
請求項４に記載の照明装置。
【請求項９】
前記第１領域および前記第２領域の常光屈折率が互いに等しくなっており、かつ前記第１領域および前記第２領域の異常光屈折率が互いに等しくなっている
請求項１ないし請求項８のいずれか一項に記載の照明装置。
【請求項１０】
前記光変調素子は、一対の前記第１電極および前記第２電極を複数有し、
前記第１電極と前記第２電極との対向部分が光変調セルを構成し、
一の光変調セルにおいて前記第１領域の光軸が前記第２領域の光軸と平行となり、他の光変調セルにおいて前記第１領域の光軸が前記第２領域の光軸と交差するように各光変調セルの一対の電極へ印加する電圧の大きさを制御する駆動部を備えた
請求項１ないし請求項９のいずれか一項に記載の照明装置。
【請求項１１】
一対の前記第１電極および前記第２電極のうち少なくとも当該照明装置の上面側の電極は透明な導電性材料からなる
請求項１ないし請求項１０のいずれか一項に記載の照明装置。
【請求項１２】
一対の前記第１電極および前記第２電極のうち当該照明装置の底面側の電極は金属からなる
請求項１ないし請求項１１のいずれか一項に記載の照明装置。
【請求項１３】
当該照明装置の底面側に反射板を備えた
請求項１ないし請求項１２のいずれか一項に記載の照明装置。
【請求項１４】
導光板と、
前記導光板の側面に配置された光源と、
前記導光板の表面または内部に配置されると共に前記導光板と接着された光変調素子と
を備え、
前記光変調素子は、
離間して互いに対向配置された第１電極および第２電極と、
前記第１電極と前記第２電極との間隙に設けられた光変調層と
を有し、
前記光変調層は、光学異方性を有すると共に電場に対する応答速度が互いに異なる第３領域および第４領域を含み、
前記第３領域は、前記第１電極と前記第２電極との間に電圧が印加されていない時に当該第３領域の光軸が前記導光板の側面のうち前記光源の光が入射する光入射面と平行となると共に前記光変調素子の表面と第３角度で交差する構成となっており、かつ、前記第１電極と前記第２電極との間に電圧が印加されている時に当該第３領域の光軸が前記光入射面と平行となると共に前記光変調素子の表面と前記第３角度よりも小さな第４角度で交差するか、または前記光変調素子の表面と平行となる構成となっており、
前記第４領域は、前記第１電極と前記第２電極との間への電圧印加の有無に拘らず、当該第４領域の光軸が前記光入射面と平行となると共に前記光変調素子の表面と前記第３角度で交差する構成となっている
照明装置。
【請求項１５】
前記第３領域は、液晶材料を主に含んで構成され、
前記第４領域は、高分子材料を主に含んで構成されている
請求項１４に記載の照明装置。
【請求項１６】
前記光変調素子は、前記第１電極と前記光変調層との間、および前記第２電極と前記光変調層との間に垂直配向膜を有する
請求項１５に記載の照明装置。
【請求項１７】
前記垂直配向膜は、当該垂直配向膜の表面に液晶分子が接すると共にその液晶分子に外部から電界が印加されていないときに、その液晶分子に、その液晶分子の光学軸が前記光変調素子の表面と前記第３角度で交差すると共に前記光入射面と平行となるプレチルト角を付与する性質を有している
請求項１６に記載の照明装置。
【請求項１８】
前記第４領域は、前記垂直配向膜の作用により配向した重合性材料を熱および光の少なくとも一方によって重合させることにより形成されたものである
請求項１７に記載の照明装置。
【請求項１９】
マトリクス状に配置された複数の画素を有すると共に、前記複数の画素が画像信号に基づいて駆動される表示パネルと、
前記表示パネルを照明する照明装置と
を備え、
前記照明装置は、導光板と、前記導光板の側面に配置された光源と、前記導光板の表面または内部に配置されると共に前記導光板と接着された光変調素子とを前記表示パネル側から順に有し、
前記光変調素子は、離間して互いに対向配置された第１電極および第２電極と、前記第１電極と前記第２電極との間隙に設けられた光変調層とを有し、
前記光変調層は、光学異方性を有すると共に電場に対する応答速度が互いに異なる第１領域および第２領域を含み、
前記第１領域は、前記第１電極と前記第２電極との間に電圧が印加されていない時に当該第１領域の光軸が前記導光板の側面のうち前記光源の光が入射する光入射面と平行となると共に前記光変調素子の表面と第１角度で交差する構成となっており、かつ、前記第１電極と前記第２電極との間に電圧が印加されている時に当該第１領域の光軸が前記光入射面と平行となると共に前記光変調素子の表面と前記第１角度よりも大きな第２角度で交差する構成となっており、
前記第２領域は、前記第１電極と前記第２電極との間への電圧印加の有無に拘らず、当該第２領域の光軸が前記光入射面と平行となると共に前記光変調素子の表面と前記第１角度で交差する構成となっている
表示装置。
【請求項２０】
マトリクス状に配置された複数の画素を有すると共に、前記複数の画素が画像信号に基づいて駆動される表示パネルと、
前記表示パネルを照明する照明装置と
を備え、
前記照明装置は、導光板と、前記導光板の側面に配置された光源と、前記導光板の表面または内部に配置されると共に前記導光板と接着された光変調素子とを前記表示パネル側から順に有し、
前記光変調素子は、離間して互いに対向配置された第１電極および第２電極と、前記第１電極と前記第２電極との間隙に設けられた光変調層とを有し、
前記光変調層は、光学異方性を有すると共に電場に対する応答速度が互いに異なる第３領域および第４領域を含み、
前記第３領域は、前記第１電極と前記第２電極との間に電圧が印加されていない時に当該第３領域の光軸が前記導光板の側面のうち前記光源の光が入射する光入射面と平行となると共に前記光変調素子の表面と第３角度で交差する構成となっており、かつ、前記第１電極と前記第２電極との間に電圧が印加されている時に当該第３領域の光軸が前記光入射面と平行となると共に前記光変調素子の表面と前記第３角度よりも小さな第４角度で交差するか、または前記光変調素子の表面と平行となる構成となっており、
前記第４領域は、前記第１電極と前記第２電極との間への電圧印加の有無に拘らず、当該第４領域の光軸が前記光入射面と平行となると共に前記光変調素子の表面と前記第３角度で交差する構成となっている
表示装置。
【手続補正２】
【補正対象書類名】明細書
【補正対象項目名】０００７
【補正方法】変更
【補正の内容】
【０００７】
本発明の第１の照明装置は、導光板と、導光板の側面に配置された光源と、導光板の表面または内部に配置されると共に導光板と接着された光変調素子とを備えたものである。上記光変調素子は、離間して互いに対向配置された第１電極および第２電極と、第１電極と第２電極との間隙に設けられた光変調層とを有している。上記光変調層は、光学異方性を有すると共に電場に対する応答速度が互いに異なる第１領域および第２領域を含んでいる。ここで、第１領域は、第１電極と第２電極との間に電圧が印加されていない時に当該第１領域の光軸が導光板の側面のうち光源の光が入射する光入射面と平行となると共に光変調素子の表面と第１角度で交差する構成となっている。第１領域は、さらに、第１電極と第２電極との間に電圧が印加されている時に当該第１領域の光軸が光入射面と平行となると共に光変調素子の表面と第１角度よりも大きな第２角度で交差する構成となっている。一方、第２領域は、第１電極と第２電極との間への電圧印加の有無に拘らず、当該第２領域の光軸が光入射面と平行となると共に光変調素子の表面と第１角度で交差する構成となっている。
【手続補正３】
【補正対象書類名】明細書
【補正対象項目名】００１０
【補正方法】変更
【補正の内容】
【００１０】
本発明の第２の照明装置は、導光板と、導光板の側面に配置された光源と、導光板の表面または内部に配置されると共に導光板と接着された光変調素子とを備えたものである。上記光変調素子は、離間して互いに対向配置された第１電極および第２電極と、第１電極と第２電極との間隙に設けられた光変調層とを有している。上記光変調層は、光学異方性を有すると共に電場に対する応答速度が互いに異なる第３領域および第４領域を含んでいる。ここで、第３領域は、第１電極と第２電極との間に電圧が印加されていない時に当該第３領域の光軸が導光板の側面のうち光源の光が入射する光入射面と平行となると共に光変調素子の表面と第３角度で交差する構成となっている。第３領域は、さらに、第１電極と第２電極との間に電圧が印加されている時に当該第３領域の光軸が光入射面と平行となると共に光変調素子の表面と第３角度よりも大きな第４角度で交差するか、または光変調素子の表面と平行となる構成となっている。一方、第４領域は、第１電極と第２電極との間への電圧印加の有無に拘らず、当該第４領域の光軸が光入射面と平行となると共に光変調素子の表面と第３角度で交差する構成となっている。
【手続補正４】
【補正対象書類名】明細書
【補正対象項目名】００４１
【補正方法】変更
【補正の内容】
【００４１】
一方、微粒子３４Ｂは、例えば、液晶材料を主に含んで構成されており、バルク３４Ａの応答速度よりも十分に早い応答速度を有している。微粒子３４Ｂ内に含まれる液晶材料（液晶分子）は、例えば棒状分子である。微粒子３４Ｂ内に含まれる液晶分子として、正の誘電率異方性を有するもの（いわゆるポジ型液晶）を用いることが好ましい。
【手続補正５】
【補正対象書類名】明細書
【補正対象項目名】００７６
【補正方法】変更
【補正の内容】
【００７６】
ただし、配向膜３３，３５として垂直用配向膜を用いるに際しては、微粒子３４Ｂ内に含まれる液晶分子として、負の誘電率異方性を有するもの（いわゆるネガ型液晶）を用いることが好ましい。
【手続補正６】
【補正対象書類名】明細書
【補正対象項目名】００９０
【補正方法】変更
【補正の内容】
【００９０】
一方、微粒子６４Ｂは、例えば、液晶材料を主に含んで構成されており、バルク６４Ａの応答速度よりも十分に早い応答速度を有している。微粒子６４Ｂ内に含まれる液晶材料（液晶分子）は、例えば棒状分子である。微粒子６４Ｂ内に含まれる液晶分子として、負の誘電率異方性を有するもの（いわゆるネガ型液晶）が用いられている。